【事件の表示】
　特願２００９−１２５２２８「音声再生装置及び音声再生方法」拒絶査定不服審判事件〔平成２１年　８月２０日出願公開、特開２００９−１８７６６４〕について、次のとおり審決する。
【結　論】
　本件審判の請求は、成り立たない。
【理　由】
第１　手続の経緯
　
　本願は、平成１８年６月３０日に出願した特願２００６−１８１０３６号の一部を平成２１年５月２５日に新たな特許出願としたものであって、同年６月１０日付け拒絶理由通知に対して同年８月４日付けで手続補正がなされたが、同年８月２４日付けで拒絶査定がされた。これに対し、同年１２月１日付けで拒絶査定不服審判が請求されるとともに、同日付けで手続補正がなされた。
　その後、平成２２年２月１９日付けで前置報告書を利用した審尋がなされ、同年４月１４日付けで回答書が提出されたものである。
　
第２　平成２１年１２月１日付けの手続補正についての補正却下の決定
　
［補正却下の決定の結論］
　平成２１年１２月１日付けの手続補正を却下する。
　
［理由］
１．本件補正
　
　平成２１年１２月１日付けの手続補正（以下「本件補正」という。）は、特許請求の範囲及び明細書についてするもので、特許請求の範囲については、本件補正前に、
「　【請求項１】
　楽曲ファイルと前記楽曲ファイルに関連したテキストデータが前記楽曲ファイルと同じファイル形式で音声化された音声ファイルとを受信する受信部と、
　前記受信部により受信された前記楽曲ファイル及び前記音声ファイルを記憶する記憶部と、
　前記記憶部が記憶する前記楽曲ファイルの第１の再生指示、及び前記音声ファイルの第２の再生指示を受け付ける受付部と、
　前記受付部が受け付けた前記第１の再生指示に基づいて前記楽曲ファイルを再生し、前記第２の再生指示に基づいて前記音声ファイルを再生し、前記第１の再生指示に基づいて前記楽曲ファイルを再生中に、前記受付部が前記第２の再生指示を受け付けたとき、前記楽曲ファイルの再生を停止し、前記楽曲ファイルに対応する前記音声ファイルを再生する再生部と、
　前記再生部により再生された前記楽曲ファイル及び前記音声ファイルの再生信号を出力する音声出力部と、
　を備える音声再生装置。
　　【請求項２】
　前記再生部は、前記第１の再生指示に基づいて前記楽曲ファイルを再生中に、前記受付部が前記第２の再生指示を受け付けたとき、前記楽曲ファイルに対応する前記音声ファイルの再生を終了した後、再生を停止していた前記楽曲ファイルの再生を再開する請求項１に記載の音声再生装置。
　　【請求項３】
　前記音声ファイルは、楽曲名、アルバムタイトル、アーティスト名のうち少なくとも１つを含む請求項１又は２に記載の音声再生装置。
　　【請求項４】
　前記楽曲ファイル及び前記音声ファイルは、圧縮の前記ファイル形式によるものである請求項１〜３のいずれか１項に記載の音声再生装置。
　　【請求項５】
　前記楽曲ファイル及び前記音声ファイルは、ＭＰ３によるものである請求項４に記載の音声再生装置。
　　【請求項６】
　前記受信部は、前記楽曲ファイル及び前記音声ファイルとともに前記テキストデータを受信し、
　前記記憶部は、前記楽曲ファイル及び前記音声ファイルとともに前記テキストデータを記憶し、
　前記再生部により前記音声ファイルが再生されるとき、対応する前記テキストデータを表示する表示部を更に備えた請求項１〜５のいずれか１項に記載の音声再生装置。
　　【請求項７】
　楽曲ファイルと前記楽曲ファイルに関連したテキストデータが前記楽曲ファイルと同じファイル形式で音声化された音声ファイルとを受信するステップと、
　受信された前記楽曲ファイル及び前記音声ファイルを記憶するステップと、
　記憶された前記楽曲ファイルの第１の再生指示を受け付けるステップと、
　受け付けた前記第１の再生指示に基づいて前記楽曲ファイルを再生するステップと、
　前記楽曲ファイルを再生中に、前記音声ファイルの第２の再生指示を受け付けるステップと、
　受け付けた前記第２の再生指示に基づいて、前記楽曲ファイルの再生を停止し、前記楽曲ファイルに対応する前記音声ファイルを再生するステップと、
　再生された前記楽曲ファイル又は前記音声ファイルの再生信号を出力するステップと、
　を含む音声再生方法。
　　【請求項８】
　受け付けた前記第２の再生指示に基づいて、前記楽曲ファイルの再生を停止し、前記楽曲ファイルに対応する前記音声ファイルを再生した後、前記楽曲ファイルの再生を再開するステップを、さらに含む請求項７に記載の音声再生方法。
　　【請求項９】
　前記音声ファイルは、楽曲名、アルバムタイトル、アーティスト名のうち少なくとも１つを含む請求項７又は８に記載の音声再生方法。
　　【請求項１０】
　前記楽曲ファイル及び前記音声ファイルは、圧縮の前記ファイル形式によるものである
請求項７〜９のいずれか１項に記載の音声再生方法。
　　【請求項１１】
　前記楽曲ファイル及び前記音声ファイルは、ＭＰ３によるものである請求項１０に記載
の音声再生方法。
　　【請求項１２】
　前記楽曲ファイル及び前記音声ファイルを受信するステップは、前記楽曲ファイル及び前記音声ファイルとともに前記テキストデータを受信し、
　前記楽曲ファイル及び前記音声ファイルを記憶するステップは、前記楽曲ファイル及び前記音声ファイルとともに前記テキストデータを記憶し、
　前記音声ファイルが再生されるとき、対応する前記テキストデータを表示するステップを更に備えた請求項７〜１１のいずれか１項に記載の音声再生方法。」
とあったところを、
　
本件補正後、
「　【請求項１】
　楽曲ファイルと前記楽曲ファイルに関連したテキストデータが前記楽曲ファイルと同じ
圧縮
　前記受信部により受信された
前記同じ圧縮形式の
　前記記憶部が記憶する
前記同じ圧縮形式の
前記同じ圧縮形式の
　前記受付部が受け付けた前記第１の再生指示に基づいて前記楽曲ファイルを再生し、前記第２の再生指示に基づいて前記音声ファイルを再生し、前記第１の再生指示に基づいて前記楽曲ファイルを再生中に、前記受付部が前記第２の再生指示を受け付けたとき、前記楽曲ファイルの再生を停止し、前記楽曲ファイルに対応する前記音声ファイルを再生する再生部と、
　前記再生部により再生された前記楽曲ファイル及び前記音声ファイルの再生信号を出力する音声出力部と、
　を備える音声再生装置。
　　【請求項２】
　前記再生部は、前記第１の再生指示に基づいて前記楽曲ファイルを再生中に、前記受付部が前記第２の再生指示を受け付けたとき、前記楽曲ファイルに対応する前記音声ファイルの再生を終了した後、再生を停止していた前記楽曲ファイルの再生を再開する請求項１に記載の音声再生装置。
　　【請求項３】
　前記音声ファイルは、楽曲名、アルバムタイトル、アーティスト名のうち少なくとも１つを
含み、
　
前記受信部は、接続された情報処理装置から前記同じ圧縮形式の前記楽曲ファイル及び前記音声ファイルを受信するものであり、前記受信する同じ圧縮形式の前記楽曲ファイル及び前記音声ファイルは、前記情報処理装置が記録媒体から非圧縮の楽曲ファイルを取り込むとともに、前記インターネット上のデータベースからテキスト化された音声ファイルを取り込んで音声化し、前記情報処理装置が前記非圧縮の楽曲ファイル、及び前記音声化された音声ファイルをそれぞれ前記同じ圧縮形式で圧縮して作成したものである
　　【請求項４】
　前記
圧縮形式
１
　　【請求項５】
　前記受信部は、
前記同じ圧縮形式の
　前記記憶部は、
前記同じ圧縮形式の
　前記再生部により前記音声ファイルが再生されるとき、対応する前記テキストデータを表示する表示部を更に備えた請求項１〜
４
　　【請求項６】
　楽曲ファイルと前記楽曲ファイルに関連したテキストデータが前記楽曲ファイルと同じ
圧縮
　受信された
前記同じ圧縮形式の
　記憶された
前記同じ圧縮形式の
　受け付けた前記第１の再生指示に基づいて前記楽曲ファイルを再生するステップと、
　前記楽曲ファイルを再生中に、
前記同じ圧縮形式の
　受け付けた前記第２の再生指示に基づいて、前記楽曲ファイルの再生を停止し、前記楽曲ファイルに対応する前記音声ファイルを再生するステップと、
　再生された前記楽曲ファイル又は前記音声ファイルの再生信号を出力するステップと、
　を含む音声再生方法。
　　【請求項７】
　受け付けた前記第２の再生指示に基づいて、前記楽曲ファイルの再生を停止し、前記楽曲ファイルに対応する前記音声ファイルを再生した後、前記楽曲ファイルの再生を再開するステップを、さらに含む請求項
６
　　【請求項８】
　前記音声ファイルは、楽曲名、アルバムタイトル、アーティスト名のうち少なくとも１つを含
み、
　
前記受信するステップは、接続された情報処理装置から前記同じ圧縮形式の前記楽曲ファイル及び前記音声ファイルを受信するものであり、前記受信する同じ圧縮形式の前記楽曲ファイル及び前記音声ファイルは、前記情報処理装置が記録媒体から非圧縮の楽曲ファイルを取り込むとともに、前記インターネット上のデータベースからテキスト化された音声ファイルを取り込んで音声化し、前記情報処理装置が前記非圧縮の楽曲ファイル、及び前記音声化された音声ファイルをそれぞれ前記同じ圧縮形式で圧縮して作成したものである
６
７
　　【請求項９】
　前記
圧縮形式
６
　　【請求項１０】
　前記楽曲ファイル及び前記音声ファイルを受信するステップは、
前記同じ圧縮形式の
　前記楽曲ファイル及び前記音声ファイルを記憶するステップは、
前記同じ圧縮形式の
　前記音声ファイルが再生されるとき、対応する前記テキストデータを表示するステップを更に備えた請求項
６
９
とするものである。
　
　上記本件補正の内容は、請求項１については、発明特定事項である「ファイル形式」について「圧縮形式」、「前記楽曲ファイル及び前記音声ファイル」について「前記同じ圧縮形式の前記楽曲ファイル及び前記音声ファイル」、「前記楽曲ファイル」について「前記同じ圧縮形式の前記楽曲ファイル」、「前記音声ファイル」について「前記同じ圧縮形式の前記音声ファイル」と限定したものである。
　本件補正は、発明特定事項を限定するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。
　
　そこで、本件補正後の請求項１に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下検討する。
　
２．引用例
　
　原査定の拒絶の理由に引用された特開２００５−１８１９６０号公報（平成１７年７月７日公開、以下「引用例１」という。）には、図面と共に、以下の記載がある。（なお、下線は当審で付与した。）
　
（１）「【技術分野】
【０００１】
　本発明は、ＴＴＳ（ＴＴＳ：Text-To-Speech）探索機能を支援する方法及びこれを用いたマルチメディア装置に関し、特にマルチメディアプレーヤー装置で液晶画面を介した映像信号の代りに音声信号でマルチメディアファイルに対する情報を提供する方法及びこれを用いた装置に関する。」
　
（２）「【発明が解決しようとする課題】
【０００７】
　本発明は、前記のような問題を解決するために案出されたもので、ＴＴＳ探索機能のために別途の装置や費用を必要としないマルチメディア装置を提供し、画面を見ないで希望する音声を聞きながらマルチメディアファイルを探索できるようにすることを目的とする。」
　
（３）「【００１２】
　
マルチメディア装置は、マルチメディアファイルを保存する保存部の種類によって２種類に分けられる。
【００１３】
　第一は、ＣＤプレーヤー（Compact Disc player）のように分離型保存部（書き込み可能ＣＤ）を有している場合である。前記マルチメディア装置に対しては図２ないし図４を参照し、前記マルチメディア装置の動作方法に対しては図８及び図９を参照して後述する。
【００１４】
　
第二は、ＭＰ３プレーヤーと共にホスト装置に直接オンラインで連結してダウンロード管理器（Download Manager）を介して直接ファイルを伝送する場合である。
　
（４）「【００３７】
　図６は、本発明の一実施例に係る内蔵型保存部を有するマルチメディア装置においてＴＴＳ探索機能を支援するために必要な構成要素を示すブロック図である。
【００３８】
　図６に示すように、
ＴＴＳ探索機能を支援する内蔵型保存部を有するマルチメディア装置は、ＴＴＳ音声ファイルを保存する内蔵型保存部３８と、
前記内蔵型保存部３８からデータを読み取るデータ読み取り部３２と、前記ＴＴＳ音声ファイルを出力するマルチメディア出力部３４と、からなる。
　
データ読み取り部３２は、ＴＴＳ音声ファイル読み取り部３２０と、マルチメディアデータ読み取り部３２２と、からなる。
【００４０】
　
内蔵型保存部３８は、ダウンロード管理部３８０と、
マルチメディア保存部３８４と、からなる。
【００４１】
　
前記ダウンロード管理部３８０は、前記ホスト装置１からのＴＴＳ音声ファイルの伝送を担当する。
【００４２】
　前記マルチメディア記録部３８２は、前記伝送されたホスト装置１からのＴＴＳ音声ファイルを前記マルチメディア保存部３８４に記録する。
【００４３】
　
前記マルチメディア保存部３８４は、
ＴＴＳ音声ファイル保存部３８４２と、マルチメディアファイル保存部３８４４と、からなる。
【００４４】
　前記ＵＩ処理部３０と前記マルチメディア出力部３４とは、図４で記述した内容と同様である。
【００４５】
　図７は、本発明の一実施例に係るマルチメディア保存部での保存方式を示すブロック図である。
【００４６】
　図７に示すように、
前記マルチメディア保存部３８４には、マルチメディアファイルと、ＴＴＳ音声ファイルと、
が保存される。前記ＴＴＳ音声ファイルは、前記ＴＴＳ音声ファイル保存部３８４２に保存される。前記マルチメディアファイル保存部３８４４には一般なマルチメディアファイルが保存され、前記マルチメディアファイルのメタデータ（タイトル、アルバム名、製作者等）を音声で提供することが可能なファイルは前記ＴＴＳ音声ファイルである。
【００４７】
　前記マルチメディアファイルディレクトリ３８４０は、ＴＴＳ探索機能サービス対象となるマルチメディアファイル名と保存された位置情報だけでなく、前記ＴＴＳ音声ファイルが保存された位置情報を有する表である。前記マルチメディアファイルディレクトリ３８４０の構造は概念的であり、テーブル形態だけでなく前記ファイル名、位置などの情報を表現できる他の形態の情報表（ツリー形態、連結リスト等）への具現が可能である。
【００４８】
　前記マルチメディアファイルディレクトリ３８４０は、前記マルチメディアファイルやＴＴＳ音声ファイルが保存された部分と区別されるメモリー領域に保存されるように具現できる。前記マルチメディアファイルディレクトリ３８４０の情報を介することで、実際に、保存部に保存されたマルチメディアファイル名や保存された位置、及びＴＴＳ音声ファイルが保存された位置などを迅速に検索できるようになる。」
　
（５）「【００６０】
　図１１は、本発明の一実施例に係るホスト装置からファイルをダウンロードする過程を示すフローチャートである。
【００６１】
　図１１に示すように、ホスト装置からファイルをダウンロードする過程は、
ホスト装置１からＴＴＳ音声ファイルと、マルチメディアファイルと、
を受信するステップＳ１１０２
　
　上記摘示事項及び図面の記載を総合勘案すると、引用例には、次の発明（以下「引用発明」という。）が記載されているものと認める。
　
「マルチメディアファイルとマルチメディアファイルのメタデータ（タイトル、アルバム名、製作者等）を音声で提供することが可能なＴＴＳ音声ファイルとを受信するダウンロード管理部と、
　ダウンロード管理部により受信されたマルチメディアファイル及びＴＴＳ音声ファイルを保存するマルチメディア保存部と、
　マルチメディア保存部が保存するマルチメディアファイル及びＴＴＳ音声ファイルを読み取るデータ読み取り部と、
　データ読み取り部により読み取られたマルチメディアファイル及びＴＴＳ音声ファイルを出力するマルチメディア出力部と、
　からなるＭＰ３プレーヤー。」
　
　同じく、原査定の拒絶の理由に引用された特開平９−１４６５７９号公報（平成９年６月６日公開、以下「引用例２」という。）には、図面と共に、以下の記載がある。
　
（６）「【００１２】
音楽再生指示入力により音楽供給手段１００の何曲目（例えば３曲目）を再生したいのかが指示されると
　
（７）「【００１７】
音楽供給手段１００の何曲目（例えば３曲目）を再生したいのかが指示されると
読み出し手段３５から読み出し出力される音楽データは、音楽再生手段１０２において従来例と同様にして、波形データに変換出力される
【００１８】この場合、表示器１０３に送出された音楽に関する情報は同時に音声出力手段１２へも出力されて、実施の形態１と同様にして音声が出力されるが、乗算器４０において乗数ＶＬ０.０が乗じられるため、乗算器４０から加算器５０への出力データは実質的に零値となり、音声は音響出力されないこととなる。
音楽再生中に、音声出力指示入力により音楽情報モニタが指示されると
読み出し手段３５は音楽データの読み出し、出力を継続しながら、音楽に関する情報を再出力するので、音声出力手段１２から音声が出力される
【００１９】なお、本実施の形態においては、音声が出力されている間は音楽再生手段１０２の出力に対して、乗算器４１で乗数ＭＬ０.０を乗じるので、音楽再生出力値を零にしたが、音量を下げて例えば乗数ＭＬを０.２としてもよい。また、
音声出力の間に音楽再生出力手段１０２は音楽データの再生動作を継続するようにしたが、一時中断するようにしてもよい
　
３．対比
　
　そこで、本件補正発明と引用発明とを対比する。
　
（１）引用発明において、マルチメディアファイルのメタデータ（タイトル、アルバム名、製作者等）を音声で提供することが可能なファイルがＴＴＳ音声ファイルであるから、引用発明の「マルチメディアファイル」「メタデータ（タイトル、アルバム名、製作者等）」及び「ＴＴＳ音声ファイル」は、それぞれ本件補正発明の「楽曲ファイル」「テキストデータ」及び「音声ファイル」に相当する。引用発明の「ダウンロード管理部」は、ホスト装置からマルチメディアファイルとＴＴＳ音声ファイルとを受信するものであるから、本件補正発明の「受信部」に相当する。
（２）引用発明の「マルチメディア保存部」は、ダウンロード管理部により受信されたマルチメディアファイル及びＴＴＳ音声ファイルを保存するものであるから、本件補正発明の「記憶部」に相当する。
（３）引用発明の「データ読み取り部」は、マルチメディア保存部が保存するマルチメディアファイル及びＴＴＳ音声ファイルを読み取るものであるから、本件補正発明の「再生部」に相当する。
（４）引用発明の「マルチメディア出力部」は、データ読み取り部により読み取られたマルチメディアファイル及びＴＴＳ音声ファイルを出力するものであるから、本件補正発明の「音声出力部」に相当する。
（５）引用発明の「ＭＰ３プレーヤー」は、本件補正発明の「音声再生装置」に相当する。
　
　そうすると、本件補正発明と引用発明とは、次の点で一致する。
　
＜一致点＞
　
「楽曲ファイルと前記楽曲ファイルに関連したテキストデータが音声化された音声ファイルとを受信する受信部と、
　前記受信部により受信された前記楽曲ファイル及び前記音声ファイルを記憶する記憶部と、
　前記楽曲ファイルを再生し、前記音声ファイルを再生する再生部と、
　前記再生部により再生された前記楽曲ファイル及び前記音声ファイルの再生信号を出力する音声出力部と、
　を備える音声再生装置。」の点。
　
　そして、次の点で相違する。
　
＜相違点＞
　
（ａ）本件補正発明では、「楽曲ファイル」と「音声ファイル」とが同じ圧縮形式のファイルであるのに対し、引用発明では、そのようになされていない点。
　
（ｂ）本件補正発明では、「前記記憶部が記憶する」「前記楽曲ファイルの第１の再生指示、及び」「前記音声ファイルの第２の再生指示を受け付ける受付部」を備えるのに対し、引用発明では、そのようになされていない点。
　
（ｃ）「再生部」について、本件補正発明では、「前記受付部が受け付けた前記第１の再生指示に基づいて前記楽曲ファイルを再生し、前記第２の再生指示に基づいて前記音声ファイルを再生し、前記第１の再生指示に基づいて前記楽曲ファイルを再生中に、前記受付部が前記第２の再生指示を受け付けたとき、前記楽曲ファイルの再生を停止し、前記楽曲ファイルに対応する前記音声ファイルを再生する」のに対し、引用発明では、そのようになされていない点。
　
４．判断
　
　そこで、上記相違点について検討する。
　
相違点（ａ）について
　ＭＰ３で音声信号を圧縮したファイルをコンピュータからＭＰ３プレーヤーにダウンロードすることは周知である（例えば、国際公開第０３／０７１５３７号２頁１３行〜３頁１６行、登録実用新案第３１０１３４８号公報【０００８】、国際公開第２００４／０８８４９４号１頁２１行〜３０行参照）から、引用発明において、ともに音声信号のファイルである「マルチメディアファイル」と「ＴＴＳ音声ファイル」とをＭＰ３で圧縮したものとすることは、当業者が任意になし得ることである。
　
相違点（ｂ）及び（ｃ）について
　引用例２には、音楽再生指示入力により音楽再生が指示されると音楽データを再生し、音楽再生中に音声出力指示入力により音楽情報モニタが指示されると音楽データの再生動作を一時中断して音楽に関する情報を音声出力する構成が記載されているから、当該構成を引用発明に適用して、「前記記憶部が記憶する」「前記楽曲ファイルの第１の再生指示、及び」「前記音声ファイルの第２の再生指示を受け付ける受付部」を備え、「再生部」が「前記受付部が受け付けた前記第１の再生指示に基づいて前記楽曲ファイルを再生し、前記第２の再生指示に基づいて前記音声ファイルを再生し、前記第１の再生指示に基づいて前記楽曲ファイルを再生中に、前記受付部が前記第２の再生指示を受け付けたとき、前記楽曲ファイルの再生を停止し、前記楽曲ファイルに対応する前記音声ファイルを再生する」ようにすることは、当業者が容易に想到し得ることである。
　
　そして、上記相違点を総合的に判断しても、本件補正発明が奏する効果は引用例１、２及び周知技術から、当業者が十分に予測できたものであって、格別なものとはいえない。
　
　なお、前記回答書において、引用例１に記載された発明と本件補正発明との相違点であるとして主張するＡ、Ｂ、Ｃは、結局、前記相違点（ａ）に帰着するものである。「同じ圧縮形式の楽曲ファイル及び音声ファイルを受信（記憶部に記憶、再生）することは、記載も示唆もされていない。」との主張に対する判断は、既に示したとおりである。特段の理由がない限り、音声の内容が楽曲であれ、楽曲情報であれ、同じ圧縮形式を選択することは最も自然な選択であり、当該選択をすることに格別困難な事情も存在しない以上、「当業者が任意になし得ること」であるのは当然である。
　前記相違点ＡないしＣについて主張する効果についても、圧縮形式が同じである以上自明な、又は当業者が当然予測し得る程度のものにすぎない。
　
　したがって、本件補正発明は、引用例１及び２に記載された発明及び周知技術に基づいて当業者が容易に発明をすることができたものであり、特許法第２９条第２項の規定により、特許出願の際独立して特許を受けることができないものである。
　
５．本件補正についてのむすび
　
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
　
１．本願発明
　
　平成２１年１２月１日付けの手続補正は、上記のとおり却下されたので、本願の請求項１に係る発明は、平成２１年８月４日付けの手続補正により補正された特許請求の範囲の請求項１に記載された事項により特定されるものであるところ、請求項１に係る発明（以下「本願発明」という。）は、上記「第２［理由」１．」に本件補正前の請求項１として記載したとおりのものである。
　
２．引用例
　
　原査定の拒絶の理由で引用された引用例及びその記載事項は、上記「第２［理由］２．」に記載したとおりである。
　
３．対比・判断
　
　本願発明は、上記「第２［理由］３．及び４．」で検討した本件補正発明から、発明特定事項である「ファイル形式」について「圧縮形式」、「前記楽曲ファイル及び前記音声ファイル」について「前記同じ圧縮形式の前記楽曲ファイル及び前記音声ファイル」、「前記楽曲ファイル」について「前記同じ圧縮形式の前記楽曲ファイル」、「前記音声ファイル」について「前記同じ圧縮形式の前記音声ファイル」との構成を削除したものである。
　そうすると、本願発明の構成要件を全て含み、さらに他の構成要件を付加したものに相当する本件補正発明が、上記「第２［理由］３．及び４．」に記載したとおり、引用例１及び２に記載された発明及び周知技術に基づいて当業者が容易に発明をすることができたものであるから、本願発明も、同様の理由により、引用例１及び２に記載された発明及び周知技術に基づいて当業者が容易に発明をすることができたものである。
　
４．むすび
　
　以上のとおり、本願の請求項１に係る発明は、特許法第２９条第２項の規定により特許を受けることができない。
　したがって、本願は、その余の請求項について論及するまでもなく拒絶すべきものである。
　
　よって、結論のとおり審決する。